(57)【要約】【課題】立体的な視覚効果を創出し得る照明装置を提供する。【解決手段】照明システム１０は、第１方向ｄ１に配列され且つ各々が第１方向ｄ１と交差する第２方向ｄ２に延びている複数の単位要素３５を有する異方性拡散反射シート２０と、その長手方向が第１方向と非平行となるようにして配置された光源４０と、を有する。異方性拡散反射シート２０は、第２方向ｄ２よりも第１方向ｄ１へ強い拡散性を示す。【選択図】図１
2015115310.tif 000002
【特許請求の範囲】
【請求項１】
第１方向に配列され且つ各々が前記第１方向と交差する第２方向に延びている複数の単位要素を有し、前記第２方向よりも前記第１方向へ強い拡散性を示す、異方性拡散反射シートと、
その長手方向が前記第１方向と非平行となるようにして配置された光源と、を備える照明システム。
【請求項２】
前記異方性拡散反射シートは、前記複数の単位要素を有する本体シートと、前記本体シートの前記単位要素によって形成される面上に積層された反射層と、を有する、請求項１に記載の照明システム。
【請求項３】
前記異方性拡散反射シートは、前記複数の単位要素を有する本体シートと、前記本体シートの前記単位要素によって形成される面とは反対側の面上に積層された反射層と、を有する、請求項１に記載の照明システム。
【請求項４】
前記本体シートは、シリンドリカルレンズシートである、請求項２または３に記載の照明システム。
【請求項５】
前記異方性拡散反射シートは、前記第１方向に沿って間隔をあけて形成された光吸収層を、さらに有する、請求項２〜４のいずれか一項に記載の照明システム。
【請求項６】
前記光源は、前記２方向に沿って間隔をあけて配置されている、請求項１〜５のいずれか一項に記載の照明システム。
【請求項７】
前記光源は、前記長手方向に並べられた複数の発光体を有し、前記長手方向に沿った発光体の配列間隔は、一定ではない、請求項１〜６のいずれか一項に記載の照明システム。
【請求項８】
第１方向に配列され且つ各々が前記第１方向と交差する第２方向に延びている複数の単位要素を備え、
前記第２方向よりも前記第１方向へ強い拡散性を示す、異方性拡散反射シート。
【発明の詳細な説明】
【技術分野】
【０００１】
本発明は、異方性拡散反射機能を有した異方性拡散反射シート、並びに、この異方性拡散反射シートを利用した照明システムに関する。
【背景技術】
【０００２】
例えば、特許文献１に開示されているように、間接照明を利用した照明が普及している。間接照明では、天井、壁、床等に対して特定の位置関係で設置された光源から光を射出し、その反射光により、屋内を照明する。間接照明では、光源から光を直接照射される部材や部位に濃淡や立体構造を設けることがある。この場合、特殊な視覚パターンを発生させて、意匠性、例えばやすらぎ感や高級感などを創出することが可能となる。
【先行技術文献】
【特許文献】
【０００３】
【特許文献１】特開２０１３−１０１８５９
【発明の概要】
【発明が解決しようとする課題】
【０００４】
ただし、従来の照明システムによって創出される視覚効果は平面的な効果に過ぎず、意外性や意匠性において十分とは言えなかった。その一方で、本件発明者らは、鋭意検討を重ねた結果として、特定の構成を有した異方性拡散反射シートに対して、当該異方性拡散反射シートに対して所定の位置関係で配置された光源から、光を照射した場合に、錯視による立体的な視覚効果を創出し得ることを見出した。本件発明は、このような知見に基づくものであり、立体的な視覚効果を創出し得る照明装置、並びに、この照明システムに用いられる異方性拡散反射シートを提供することを目的とする。
【課題を解決するための手段】
【０００５】
本発明による照明システムは、
第１方向に配列され且つ各々が前記第１方向と交差する第２方向に延びている複数の単位要素を有し、前記第２方向よりも前記第１方向へ強い拡散性を示す、異方性拡散反射シートと、
その長手方向が前記第１方向と非平行となるようにして配置された光源と、を備える。
【０００６】
本発明による照明システムにおいて、前記異方性拡散反射シートは、前記複数の単位要素を有する本体シートと、前記本体シートの前記単位要素によって形成される面上に積層された反射層と、を有するようにしてもよい。
【０００７】
本発明による照明システムにおいて、前記異方性拡散反射シートは、前記複数の単位要素を有する本体シートと、前記本体シートの前記単位要素によって形成される面とは反対側の面上に積層された反射層と、を有するようにしてもよい。
【０００８】
本発明による照明システムにおいて、前記本体シートは、シリンドリカルレンズシートであるようにしてもよい。
【０００９】
本発明による照明システムにおいて、前記異方性拡散反射シートは、前記第１方向に沿って間隔をあけて形成された光吸収層を、さらに有するようにしてもよい。
【００１０】
本発明による照明システムにおいて、前記光源は、前記２方向に沿って間隔をあけて配置されていてもよい。
【００１１】
本発明による照明システムにおいて、前記光源は、前記長手方向に並べられた複数の発光体を有し、前記長手方向に沿った発光体の配列間隔は、一定ではないようにしてもよい。
【００１２】
本発明による異方性拡散反射シートは、第１方向に配列され且つ各々が前記第１方向と交差する第２方向に延びている複数の単位要素を備え、前記第２方向よりも前記第１方向へ強い拡散性を示す。
【発明の効果】
【００１３】
本発明によれば、立体的な視覚効果を創出することができる。
【図面の簡単な説明】
【００１４】
【図１】図１は、本発明の一実施の形態を説明するための図であって、照明システムを示す斜視図である。
【図２】図２は、図１の照明システムに組み込まれ得る異方性拡散反射シートの一例を主切断面にて示す断面図である。
【図３】図３は、照明装置の作用を説明するための図であって、異方性拡散反射シートの主切断面と平行な面にて照明システムを示す図である。
【図４】図４は、図３と同様の面にて照明システムを示す図であって、座標の取り方を説明するための図である。
【図５】図５は、図４の座標系にて、錯視により知覚される仮想天井の位置を示すグラフである。
【図６】図６は、図２と同様の断面にて異方性拡散反射シートを示す図であって、図５の各位置へ光源の鏡像を形成することになる異方性拡散反射シートの反射面の位置を示す図である。
【図７】図７は、図２に対応する図であって、異方性拡散反射シートの一変形例を示す図である。
【図８】図８は、図２に対応する図であって、異方性拡散反射シートの他の変形例を示す図である。
【図９】図９は、図２に対応する図であって、異方性拡散反射シートのさらに他の変形例を示す図である。
【図１０】図１０は、図１に対応する図であって、照明システムの一変形例を示す図である。
【図１１】図１１は、図２に対応する図であって、異方性拡散反射シートのさらに他の変形例を示す図である。
【図１２】図１２は、図１に対応する図であって、図１１の異方性拡散反射シートを用いた照明システムを示す図である。
【図１３】図１３は、図１に対応する図であって、照明システムのさらに他の変形例を示す図である。
【発明を実施するための形態】
【００１５】
以下、図面を参照して本発明の一実施の形態について説明する。なお、本明細書に添付する図面においては、図示と理解のしやすさの便宜上、適宜縮尺および縦横の寸法比等を、実物のそれらから変更し誇張してある。
【００１６】
なお、本明細書において、「シート」、「板」、「パネル」、「フィルム」等の用語は、呼称の違いのみに基づいて、互いから区別されるものではない。例えば、「異方性拡散反射シート」はパネル、板、フィルム等と呼ばれ得るような部材も含む概念であり、したがって、「異方性拡散反射シート」は、「異方性拡散反射板」、「異方性拡散反射パネル」、「異方性拡散反射フィルム」と呼ばれる部材と呼称の違いのみにおいて区別され得ない。
【００１７】
また、「シート面（板面、パネル面、フィルム面）」とは、対象となるシート状（板状、パネル状、フィルム状）の部材を全体的かつ大局的に見た場合において対象となるシート状部材（板状部材、パネル状部材、フィルム状部材）の平面方向と一致する面のことを指す。以下に説明する一実施の形態においては、異方性拡散反射シートのシート面、異方性拡散反射シートの後述する本体シートのシート面、および、本体シートの後述する本体部のシート面は、平行となっている。また、シート状（板状、パネル状、フィルム状）の部材に対する法線方向とは、当該シート状部材（板状部材、パネル状部材、フィルム状部材）のシート面（板面、パネル面、フィルム面）への法線方向のことである。
【００１８】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１９】
図１に示すように、照明システム１０は、光源４０と、光源４０からの光を受ける異方性拡散反射シート２０と、を有している。異方性拡散反射シート２０は、第１方向ｄ１に配列された多数の単位要素３５を含んでいる。各単位要素３５は、第１方向ｄ１と非平行な第２方向ｄ２に線状に延びている。異方性拡散反射シート２０は、光源４０から射出される光を受け、当該光を異方性拡散反射させる。より具体的には、異方性拡散反射シート２０は、第２方向ｄ２よりも第１方向ｄ１へ強い拡散性を示すようになっている。一方、光源４０は、長手方向ｄｌを有しており、当該長手方向ｄｌが第１方向ｄ１と非平行となるように異方性拡散反射シート２０に対して位置決めされている。
【００２０】
ここで説明する照明システム１０では、異方性拡散反射シート２０が、当該異方性拡散反射シート２０から離間した面ｖｐ上の各位置に、光源４０の各部位の鏡像を形成する。発光点の鏡像からなる面ｖｐは、錯視により、発光面として知覚されるようになる。
【００２１】
図１に示された例において、照明システム１０は、天井９１、壁９２および床９３によって区画された室内に配置されている。異方性拡散反射シート２０は、天井９１の一部または全部を形成している。また、異方性拡散反射シート２０は、その法線方向が鉛直方向に沿うように、位置決めされている。一方、光源４０は、第１方向ｄ１における両側から天井９１に接続する一対の壁９２にそれぞれ設置されている。光源４０は、異方性拡散反射シート２０の法線方向に沿って当該異方性拡散反射シート２０からずれて配置されている。言い換えると、光源４０は、鉛直方向に沿って異方性拡散反射シート２０よりも下方に位置している。このため、図１に示された例では、二点鎖線で示すように、異方性拡散反射シート２０の各位置で反射された光源４０の各部位の鏡像は、天井より上方に位置する。そして、光源４０の各部位の鏡像からなる疑似の発光面ｖｐは、錯視により、疑似の天井として知覚されるようになる。以下、異方性拡散反射シート２０および光源４０について更に詳細に説明する。そしてその後に、照明システム１０の作用について更に詳細に説明する。
【００２２】
まず、異方性拡散反射シート２０について説明する。異方性拡散反射シート２０は、異方性拡散反射機能を発揮し得るシート状の部材である。上述したように、異方性拡散反射シート２０は、第１方向ｄ１に配列された多数の単位要素３５を含んでいる。そして、各単位要素３５は、第１方向ｄ１と非平行な第２方向ｄ２に線状に延びている。この単位要素３５の存在に起因して、異方性拡散反射シート２０は、第２方向ｄ２よりも第１方向ｄ１へ強い拡散性を示すようになっている。
【００２３】
ここで、「第２方向ｄ２よりも第１方向ｄ１へ強い拡散性を示す」とは、次のようにして判断する。まず、異方性拡散反射シート２０の一方の面に、異方性拡散反射シート２０の法線方向に進む平行光束を照射する。そして、異方性拡散反射シート２０の一方の面上における輝度を測定する。そして、異方性拡散反射シート２０の法線方向および第１方向ｄ１の両方に沿った面内での輝度角度分布における半値角が、異方性拡散反射シート２０の法線方向および第２方向ｄ２の両方に沿った面内での輝度角度分布における半値角よりも大きい場合、第２方向ｄ２よりも第１方向ｄ１へ強い拡散性を示していると判断する。なお、異方性拡散反射シート２０の一方の面とは、照明システム１０において光源４０からの光を照射される側の面２０ａとする。
【００２４】
図示された異方性拡散反射シート２０は、単位要素３５を含む本体シート３０と、本体シート３０上に形成された反射層２５と、を有している。本体シート３０は、シート状の本体部３３と、本体部３３上に形成された多数の単位要素３５と、を含んでいる。図１に示すように、単位要素３５は、第２方向ｄ２に直線状に延びている。また、単位要素３５の長手方向となる第２方向ｄ２は、単位要素３５の配列方向である第１方向ｄ１と直交している。
【００２５】
図２は、異方性拡散反射シート２０の法線方向と単位要素３５の配列方向である第１方向ｄ１との両方に平行となる断面にて、異方性拡散反射シート２０を示している。本明細書では、図２に示された異方性拡散反射シート２０の断面を、異方性拡散反射シート２０の主切断面と呼ぶ。図示された例において、異方性拡散反射シート２０の主切断面における各単位要素３５の断面形状は、単位要素３５の長手方向である第２方向ｄ２に沿って一定となっている。また、本体シート３０に含まれる複数の単位要素３５は、全て同様に構成されている。
【００２６】
図２に示すように、図示された例において、異方性拡散反射シート２０の主切断面における各単位要素３５の断面形状は、出光側に向けて先細りしていく形状となっている。つまり、異方性拡散反射シート２０の主切断面において、異方性拡散反射シート２０のシート面と平行な単位要素３５の幅は、異方性拡散反射シート２０の法線方向に沿って本体部３３から離間するにつれて小さくなっていく。
【００２７】
また、図２に示すように、単位要素３５の外輪郭への接線ＴＬが主切断面において異方性拡散反射シート２０のシート面に対してなす角度（「要素面角度」とも呼ぶ）θａ１は、接線ＴＬの単位要素３５への接点ＴＰが、異方性拡散反射シート２０の法線方向に本体部３３から最も離間した単位要素３５の外輪郭上の頂部から、異方性拡散反射シート２０の法線方向において本体部３３に接続する単位要素３５の外輪郭上の両端部へ向かうにつれて、大きくなっていく。なお、ここでいう、要素面角度θａ１が「大きくなっていく」とは、図２に示すように要素面角度θａ１が常に大きく変化し続けることだけではなく、少なくとも一部の領域において要素面角度θａ１が変化しない場合も含む概念である。すなわち、ここでいう、要素面角度θａ１が「大きくなっていく」とは、接点ＴＰが外輪郭上の頂部から外輪郭上の端部へ向かう際に、要素面角度θａ１が「小さくなることがない」ことを意味している。
【００２８】
さらに、異方性拡散反射シート２０の主切断面において、単位要素３５の外輪郭は、円弧、楕円弧等の曲線および直線のいずれか、又は、これらの組み合わせによって近似され得る線として、構成されている。とりわけ図示された例においては、異方性拡散反射シート２０の主切断面における単位要素３５の断面形状は、円の一部分に相当する形状を有している。すなわち、図示された例において、本体シート３０は、シリンドリカルレンズシート、言い換えるとレンチキュラーレンズシートとして形成されている。この結果、単位要素３５は、広い角度範囲にわたる要素面角度θａ１を含んでいる。
【００２９】
以上のような構成を有した本体シート３０は、一例として、押し出し成形により、あるいは、電離放射線硬化型樹脂からなる単位要素３５を基材上に賦型することにより、作製することができる。なお、単位要素３５の第１方向ｄ１への配列ピッチは、例えば、５０μｍ〜１ｃｍ程度とすることができる。
【００３０】
反射層２５は、それ自体が高い反射性を有した材料、例えば、銀、アルミニウム等の金属を用いて形成され得る。反射層２５は、金属箔を転写することにより、または金属等の反射性材料を含んだインキを印刷することにより、形成することができる。また、真空蒸着法、スパッタリング法、イオンプレーティング法、ＣＶＤ法等の気相法(ドライプロセス)を用いて、例えば金属材料から反射層２５を形成することもできる。また、屈折率の異なる複数種類の誘電体を、上記気相法等で交互に積層することにより多層反射膜として形成することができる。
【００３１】
図２に示された例において、反射層２５は、本体シート３０の単位要素３５によって形成される面上に積層されている。反射層２５は、単位要素３５の表面を略一定の厚さで延びている。結果として、反射層２５によって画成される異方性拡散反射シート２０の最表面の外輪郭は、上述した単位要素３５の外輪郭と同様となる。図１に示すように、異方性拡散反射シート２０は、反射層２５によって形成される主面が、光源４０から光を照射される入光面２０ａをなすように、配置されている。
【００３２】
次に、光源４０について説明する。上述したように、光源４０は、長手方向ｄｌを有しており、当該長手方向ｄｌが第１方向ｄ１と非平行となるように異方性拡散反射シート２０に対して位置決めされている。そして光源４０は、少なくとも第２方向ｄ２に或る程度の長さだけ延びている。とりわけ図１に示す例では、光源４０の長手方向ｄｌは、単位要素３５の長手方向ｄｌである第２方向ｄ２と平行となっている。
【００３３】
一対の壁９２にそれぞれ設けられた光源４０は、単一の発光体（言い換えると、発光部材）、或いは、一群をなす複数の発光体を有している。光源４０をなす発光体として、種々の既知な発光体、例えば冷陰極管、とりわけ配光方向を絞った冷陰極管を用いることもできる。また、複数の点状発光体、典型的には、線状に配列された複数の発光ダイオード（ＬＥＤ）を用いて各光源４０が構成されていてもよい。
【００３４】
図１によく示されているように、この照明システム１０では、光源４０をなす発光体は、第１方向ｄ１に沿って異方性拡散反射シート２０の外輪郭の外方に位置している。より詳細には、一対の光源４０発光体は、それぞれ、第１方向ｄ１に対向する異方性拡散反射シート２０の一対の縁部の両外方となる位置にそれぞれ配置されている。すなわち、異方性拡散反射シート２０の法線方向から観察した場合において、光源４０をなす発光体は、異方性拡散反射シート２０と重ならない位置に配置されている。
【００３５】
また、この照明システム１０では、図１に示すように、光源４０をなす発光体は、異方性拡散反射シート２０の法線方向に沿って異方性拡散反射シート２０から、室内側へずれた位置に配置されている。このため、光源４０をなす発光体で発光された指向性を持つ光は、異方性拡散反射シート２０の入光面２０ａに直接入射し得るようになっている。
【００３６】
ところで、異方性拡散反射シート２０の主切断面と平行な面において、光源４０は、光を均一な光度で放射状に発光するのではなく、指向性を持って光を射出する。光源４０は、各方向に一様でない光度（単位：カンデラ）で光を放射し、特定の方向にピーク光度を持つ。そして、当該特定の方向に対する傾斜角度が大きくなるにつれて、光度の値はしだいに低下していく。好ましくは、このような光源４０の指向特性（配光特性、さらに言い換えると、光度の角度（方向）分布）を考慮して、光源４０の配置が決定される。具体的には、異方性拡散反射シート２０の主切断面と平行な面内において、ピーク光度をもたらす上記特定の方向、すなわち、当該面上に位置する光源４０の発光部位から射出される光の光軸が、異方性拡散反射シート２０上の位置に向けて延びるように、より好ましくは、異方性拡散反射シート２０の第１方向ｄ１における中心またはその近傍に向けて延びるように、光源４０が配置される。
【００３７】
次に、このような照明システム１０の作用について説明する。
【００３８】
各光源４０は、主として異方性拡散反射シート２０に向けて光を投射する。異方性拡散反射シート２０は、第１方向ｄ１に配列された単位要素３５を有している。そして、この単位要素３５に起因して、異方性拡散反射シート２０は、その各位置に特定の方向から入射する光源４０からの光を、種々の方向に拡散させることができる。したがって、異方性拡散反射シート２０を観察する観察者は、異方性拡散反射シート２０の第１方向ｄ１における各位置で反射される光を種々の方向から観察することができる。
【００３９】
ここで図３には、異方性拡散反射シート２０の主切断面と平行な一つの投影面に、照明システム１０を投影した図が示されている。光源４０の発光位置Ｐｓから射出された光は、異方性拡散反射シート２０の各位置Ｐ１〜Ｐ５に設けられた単位要素３５上で所定の傾斜角度を有した反射層２５で反射され、観察者の目の位置Ｐｏに向けて進む。
【００４０】
このとき、位置Ｐｏに目が位置している観察者は、異方性拡散反射シート２０の位置Ｐ１で反射された光源４０の鏡像を位置Ｐｉ１に観察する。この鏡像の位置Ｐｉ１は、観察者の目の位置Ｐｏと反射位置Ｐ１とを結ぶ直線上に位置する。図２に示された面内において、反射位置Ｐ１と鏡像位置Ｐｉ１との距離ｌ１は、反射位置Ｐ１と光源位置Ｐｉｓとの距離ｌ１と等しくなる。また、光源４０の鏡像を位置Ｐｉ１に形成する単位要素３５上の反射層２５の部位は、図２において光源位置Ｐｉｓと鏡像位置Ｐｉ１とを結ぶ直線に直交する方向と平行な反射面となる。同様にして、位置Ｐｏに目が位置している観察者は、異方性拡散反射シート２０のその他の位置Ｐ２〜Ｐ５で反射された光源４０の鏡像をそれぞれ位置Ｐｉ１〜Ｐｉ５に観察する。なお、この図において、光源４０と鏡像位置Ｐｉ１〜Ｐｉ１は上記投影面上に位置するが、観察者の目の位置Ｐｏと反射位置Ｐ１〜Ｐ５は投影面上にはない。反射位置Ｐ１〜Ｐ５は投影面より手前に位置し、かつＰ１よりＰ５の方がより手前に位置する。また、観察者の目の位置Ｐｏはもっと手前に位置する。
【００４１】
ここで図４に示したように座標を設定する。この図は観察者の視点から見た透視図である。この図上で、θは一つの単位要素が延びている方向が鉛直方向となす角度を表す。このθで決まる単位要素により生成される鏡像の位置Ｐｉ（ｘ，ｙ）の座標が、次の式で特定される。
【数１】
2015115310.tif 000003
なお、図４に示すように、ｙ軸は、観察者の視点位置Ｐｏから鉛直上方にとり、ｘ軸は、天井９１と当該天井９１の奥にある壁９２の交線上にとっている。そして、ｙ軸とｘ軸の交点に、原点（０，０）を定めている。また、式中の「Ｙ０」は、ｙ軸に沿った原点と光源位置Ｐｓとの距離[単位：ｃｍ]であり、「Ｗ」は、ｘ軸に沿った原点と光源位置Ｐｓとの距離[単位：ｃｍ]であり、「Ｌ」は、ｙ軸に沿った原点と目の位置Ｐｏとの距離[単位：ｃｍ]である。
【００４２】
また、図５には、上述した式によって特定された光源４０の鏡像の位置を、鏡像が配置されるようになる仮想曲線ｖｌとともに示している。さらに、図６には、図５に示された各鏡像位置Ｐｉ１〜Ｐｉ５に、それぞれ、光源４０の像を反射する反射層２５上の反射位置Ｐｒ１〜Ｐｒ５を示している。
【００４３】
以上のようにして、異方性拡散反射シート２０の主切断面と平行な一つの面上に位置する光源４０の部位からの光が、当該面上に位置する異方性拡散反射シート２０の第１方向ｄ１に延びる線状領域内の各位置で反射される。結果として、光源４０の鏡像が、仮想曲線ｖｌ上に形成されることになる。
【００４４】
そして、異方性拡散反射シート２０の単位要素３５は、第２方向ｄ２に線状に延びている。したがって、このような仮想曲線ｖｌ上への鏡像の生成は、第２方向ｄ２に沿った各位置に配置されている光源４０の部位に対して行われる。結果として、図１に示すように、一対の壁９２のそれぞれに設置されて第２方向ｄ２に延びる光源４０の鏡像が、疑似曲面ｖｐ上に形成される。疑似曲面ｖｐは、発光面として知覚され、錯視によってあたかも疑似曲面ｖｐの位置に天井があるかのように認識される。この疑似曲面ｖｐは、第２方向ｄ２に幅を持ったアーチ状の曲面となっている。そして、疑似曲面ｖｐは、光源４０から光を照射される異方性拡散反射シート２０よりも上方に、すなわち、異方性拡散反射シート２０によって形成される実際の天井よりも上方に位置する。したがって、観察者は、実際の天井よりも高い位置にアーチ型の天井があるかのように知覚するようになる。すなわち、ここで説明した照明システム１０によれば、奥行き感により室内を広く感じさせる視覚効果、並びに、立体的な構造の天井により優れた意匠性を付与する視覚効果をもたらすことが可能となる。
【００４５】
なお、本件発明者らは、実際に、図１に示された照明システムを作製して、その視覚効果を確認した。異方性拡散反射シートの第１方向に沿った幅を４００ｃｍとした。光源は、その長手方向が第２方向と平行に延びるように設置した。光源の第２方向に沿った長さを１５０ｃｍとした。図４におけるＹ０を２３ｃｍとした。図４におけるＬを７６ｃｍとした。なお、以上の条件は、図５に示されたシミュレーションの条件と同一となっている。
【００４６】
異方性拡散反射シートの本体シートは、電離放射線硬化型樹脂を用いて単位要素をＰＥＴフィルム上に成型することにより、作製した。次に、アルミニウムを真空蒸着法で成膜することによって、本体シート上に反射層を形成した。このようにして作製された異方性拡散反射シートは、図１、図２および図６に示すものと同様の構成且つ同様の設置状態とした。
【００４７】
光源からの光を異方性拡散反射シートに照射したところ、アーチ型の疑似天井を確認することができた。また、この疑似天井が知覚された位置は、図５でシミュレーションした位置とほぼ重なった。
【００４８】
以上、本発明を図示する一実施の形態に基づいて説明したが、本発明は以上の実施形態に限定されるものではなく、この他にも種々の態様で実施可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００４９】
上述した異方性拡散反射シート２０は一例に過ぎず、種々の変更が可能である。例えば、図７〜図９に示すように、単位要素３５の形状を変更することも可能である。異方性拡散反射シート２０は、第１方向ｄ１に沿った各位置に単位要素３５を有し、且つ、各位置に配置された単位要素３５が、第１方向ｄ１により強い拡散能を有した異方性拡散反射機能を付与されていれば十分である。図７に示された例では、上述の一実施の形態と同様の異方性拡散反射シート２０が、表裏を逆にして用いられている。すなわち、図７に示された例において、本体シート３０の本体部３３側が、異方性拡散反射シート２０の入光面２０ａを形成し、光源４０からの光を受ける。そして、本体シート３０内に入射した光は、凹面状の反射層２５で反射して、主として第１方向ｄ１に拡散することになる。図８に示された例では、上述した実施の形態において、本体シート３０の単位要素３５によって形成された面上に積層されていた反射層２５が、本体シート３０に単位要素３５によって形成されている面とは反対側の平坦面上に形成されている。図９に示された例では、単位要素３５の断面形状が変更されている。図９に示された例では、本体シート３０の単位要素３５によって形成される面の外輪郭が、正弦波状となっている。このような単位要素３５によれば、単位要素３５の本体部３３に近接する部位にも光が入射しやすくなり、より広い範囲に光を拡散することが可能となる。
【００５０】
また、上述した実施の形態において、対向配置された一対の光源４０が設けられ、各光源４０が、単位要素３５の配列方向である第１方向ｄ１と交差する第２方向ｄ２に一様な形状を有しながら延びる例を示したが、この例に限られない。例えば、図１０に示すように、光源４０は、第２方向ｄ２に沿って間隔をあけて配置されていてもよい。この例によれば、図１０に示すように、光源４０の鏡像が位置するようになる疑似曲面ｖｐも、第２方向ｄ２に沿って間隔をあけて、知覚されるようになる。また、光源４０が、長手方向ｄｌに並べられた複数の発光体を有する場合には、光源４０の長手方向ｄｌに沿った発光体の配列間隔を一定ではないようにすることにより、第２方向ｄ２に沿って一様でない疑似曲面ｖｐが知覚されるようになる。
【００５１】
さらに、図１１に示すように、異方性拡散反射シート２０が、第１方向ｄ１に沿って間隔をあけて且つ第２方向ｄ２に延びるストライプ状の光吸収層３７を、さらに有するようにしてもよい。図１１に示された異方性拡散反射シート２０の変形例は、光吸収層３７を設けた点を除けば、上述した実施の形態の異方性拡散反射シートと同様に構成されている。図１１に示された異方性拡散反射シート２０を用いた場合、図１２に示すように、光源４０の鏡像が位置するようになる疑似曲面ｖｐは、第１方向ｄ１に沿って間隔をあけて、知覚されるようになる。この例では、天井９１の右半分に図１１と同じ異方性拡散シート２０を、左半分に図１１を左右反転させた異方性拡散シート２０を用いることにより、擬似曲面ｖｐを左右対称形にしている。さらに、図１１に示された異方性拡散反射シート２０を、第２方向ｄ２に沿って間隔をあけて配置された光源４０との組み合わせで使用した場合、図１３に示すように、光源４０の鏡像が位置するようになる疑似曲面ｖｐは、第１方向ｄ１及び第２方向ｄ２の両方に間隔をあけて、知覚されるようになる。
【００５２】
さらに、上述した実施の形態において、照明システム１０の異方性拡散反射シート２０を天井として用いた例を示したがこれに限られない。例えば、異方性拡散反射シート２０を壁９２や床９３として用い、壁９２や床９３に奥行きを持たせる視覚効果を創出するようにしてもよい。また、照明システム１０を、屋内ではなく、屋外で用いることも可能である。
【００５３】
なお、以上において上述した実施の形態に対するいくつかの変形例を説明してきたが、当然に、複数の変形例を適宜組み合わせて適用することも可能である。
【符号の説明】
【００５４】
１０   照明システム
２０   異方性拡散反射シート
２５   反射層
３０   本体シート
３３   本体部
３５   単位要素
３７   光吸収層
４０   光源
９１   天井
９２   壁
９３   床
【図１】
2015115310.tif 000004
【図２】
2015115310.tif 000005
【図３】
2015115310.tif 000006
【図４】
2015115310.tif 000007
【図５】
2015115310.tif 000008
【図６】
2015115310.tif 000009
【図７】
2015115310.tif 000010
【図８】
2015115310.tif 000011
【図９】
2015115310.tif 000012
【図１０】
2015115310.tif 000013
【図１１】
2015115310.tif 000014
【図１２】
2015115310.tif 000015
【図１３】
2015115310.tif 000016